(57)【要約】      （修正有）【課題】高い水分絞り出し効果を有し、皮下脂肪の除去効果の高い身体装着型マッサージ器を提供する。【解決手段】腹部に巻着するベルト型のマッサージ器であって、部材を内側に内設する基本ベルト１と、基本ベルト１の内側に可動的に設置された複数のマッサージベルト３，４と、マッサージベルト３，４の上部及び下部に配設された複数の電気刺激板（ＥＭＳ）２と、を有し、マッサージベルト３，４の動きによる腹部への摺圧と電気刺激板２による腹部筋肉への電気刺激によって相乗的な脂肪除去効果を醸出する。複数のマッサージベルト３，４は、内側表面に複数の突起部３１を有し、上下のベルトが腹部に圧着しながら互いに逆の方向に動き、筋肉を効果的にもみほぐす。細胞内の水分を効果的に逃がす。マッサージベルト３，４は、内側に着設されている電動のローラーの回転により従動される。【選択図】図１
0003191925.tif 000002
【実用新案登録請求の範囲】
【請求項１】
腹部に装着するベルト型のマッサージ器であって、
腹部に巻着する基本ベルトと、
前記基本ベルトの内側に可動的に上下に設置された複数のマッサージベルトと、
前記基本ベルトの内側の前記複数のマッサージベルトの上部及び下部に配設された複数の電気刺激板と、
を有し、
上下に設置された前記複数のマッサージベルトは使用者の腹部に圧着しながら上下のベルトが長手方向において互いに逆の方向に動き、
前記電気刺激板は腹部の筋肉に電気刺激を与えることを特徴とするマッサージ器。
【請求項２】
各々の前記複数のマッサージベルトの内側にはそれぞれ少なくとも１のローラーが着設されており、各々の前記マッサージベルトは前記ローラーに密着しつつ前記ローラーの回転に従動することを特徴とする請求項1記載のマッサージ器。
【請求項３】
前記複数のマッサージベルトは内側表面に複数の突起部を有し、前記複数のマッサージベルトが腹部に圧着しながら動くことにより、前記突起部が腹部を摺圧することを特徴とする請求項1又は請求項２記載のマッサージ器。
【考案の詳細な説明】
【技術分野】
【０００１】
本考案は、身体装着型マッサージ器に関する。
【背景技術】
【０００２】
皮下脂肪の除去を目的とする身体装着型マッサージ器として、以下のものが知られている。
（１）ＥＭＳ（Electric Muscle Stimulation）と呼ばれる電気刺激タイプのマッサージ器であって、電気刺激板を筋肉に貼り付け、電気刺激を身体に与えることにより筋肉の収縮運動を引き起こすもの。
（２）ボンレスベルトという網目形状のベルトをきつく身体に巻着させることにより、身体を圧迫して細胞内の水分を逃がしつつ脂肪燃焼を促進させるもの。
（３）常時身体に装着するものではないが、電気駆動の回転ローラーを顔などに当接させて弛みを除去するもの。
【先行技術文献】
【特許文献】
【０００３】
【特許文献１】特開２０１１−２５１号公報
【考案の概要】
【考案が解決しようとする課題】
【０００４】
上述（１）の電気刺激タイプのマッサージ器は、筋肉が電気刺激を脳からの指令と判断することにより運動を起こすものであるが、筋肉への物理的な刺激を伴わないため、この方法だけでは皮下脂肪の除去効果は大きくない。（２）のボンレスベルトについても、ベルト自体に積極的な動きがないことから、脂肪燃焼の効果はさほど大きいとは言えない。（３）の回転ローラーは細胞や皮下脂肪に対する物理的な働きかけはあるものの、単体のローラーの一方向の回転だけでは、細胞内の水分及び脂肪の絞り出し効果は薄い。
【０００５】
上記特許文献１には、複数のローラーを配設した筐体を手で支持しながら、筋肉をローラーで圧迫する手動のマッサージ器の発明が開示されている。しかし、当該マッサージ器はすべてのローラーが同じ方向に回転するため、筋肉上を摺動させても表面に波を生じさせるのがせいぜいで、たとえ、この種のマッサージ器を電動にして身体に装着させた場合を想定しても、細胞中の水分・脂肪を絞り出すまでには至らないと考えられる。
【０００６】
上述の問題に鑑み、本考案においては、従来になく高い水分の絞り出し効果を有し、皮下脂肪の除去効果の高い身体装着型マッサージ器を提供することを課題とする。
【課題を解決するための手段】
【０００７】
上記課題を解決するために、本考案に係るマッサージ器は腹部に巻着するベルト型のマッサージ器であって、部材を内側に内設する基本ベルトと、該基本ベルトの内側に水平方向に可動的に互いに平行に設置された複数のマッサージベルトと、マッサージベルトの上部及び下部に配設された複数の電気刺激板（通称ＥＭＳと呼ばれている。）と、を有し、マッサージベルトの動きによる腹部への摺圧と電気刺激板による腹部筋肉への電気刺激によって、強力かつ相乗的な脂肪除去効果を醸出する。
【０００８】
また、基本ベルトの内側に平行に設置された複数のマッサージベルトは、上下のベルトが互いに逆の方向に動く構成になっているため、細胞内の水分を効果的に逃がすことができる。
【０００９】
さらに、マッサージベルトは内側表面に複数の突起部を有し、これらが腹部に圧着しながら摺動することにより、筋肉を効果的にもみほぐす。
【００１０】
マッサージベルトの駆動構造はベルコンベアのそれと同様である。すなわち、各マッサージベルトの内側には少なくとも１のローラーが着設されており、マッサージベルトは電池から動力の供給を受ける該ローラーの回転に従動する。
【考案の効果】
【００１１】
電気刺激板と複数のローラーベルトの相乗効果により、高いマッサージ効果を得ることができる。
【００１２】
内側に複数の突起部を有するマッサージベルトが腹部を摺圧しながら上下逆の方向に動くため、細胞内の水分を効果的に逃がすことができる。
【図面の簡単な説明】
【００１３】
【図１】本実施形態のマッサージ器の内側表面の正面図である。
【図２】本実施形態のマッサージ器の外側表面の正面図である。
【図３】上下に位置する２本のマッサージベルトの動きを示す斜視図である。
【図４】本考案に係るマッサージベルト着用時のイメージ図である。
【考案を実施するための形態】
【００１４】
以下、本考案の実施形態について図を用いて説明する。
【００１５】
前述したように、本考案に係るマッサージ器は腹部に巻着するベルト式のマッサージ器であって、その特徴は、基本ベルトの内側に、複数のマッサージベルトと複数の電気刺激板を有することである。本実施形態では、図１に示すように、２本のマッサージベルト３及び４の上下に、３ずつ計６の電気刺激板２を配設している。また、基本ベルト１の縦幅は２０センチメートル程度、マッサージベルト３、４の縦幅は３センチメートル程度とする。
【００１６】
基本ベルト１の腹部への巻着は、内側に設置された面ファスナーＡ及と外側に設置された面ファスナーＢを合接してなされる。また、基本ベルト１外側の面ファスナーＢと反対側の端部近傍には電池収納ケース７２を備えたコントロールパネル７が設置されており、スイッチ７１、電気刺激板の電圧調整ボタン７３及びマッサージベルトの速さ調整ボタン７４が配設されている（図２）。
【００１７】
マッサージベルト３、４は、ベルト内側の短幅方向に設置されたローラー５によって動かされる。すなわち、図２に示すように、マッサージベルト３、４は、ローラー５と支柱６に支持されつつ、ローラーの回転に従動する。また、矢印で示すように、マッサージベルト３と４は互いに反対方向に動く構造になっている。
【００１８】
さらに、マッサージベルト３、４は内側表面に複数の突起部３１を有し、この突起部３１が電気刺激を受けて振動する筋肉に圧着しながら２本のマッサージベルト３、４によって反対方向に摺動することから、高い脂肪除去効果を生み出す。
【００１９】
以上、本考案の有する特徴及び優れた点を、上記実施形態に記載したが、本考案は、本考案の原理の範囲内で、本願の実用新案登録請求の範囲で使用されている言葉を広く一般的な意味にまで広げて実施することが可能である。特に基本ベルトの縦幅の長さ、内側の電気刺激板の数と位置、マッサージベルトの数や1本のマッサージベルトを駆動させるローラーの数については、様々な実施形態が可能であり、それらは本考案の技術的範囲に含まれるものと解する。
【符号の説明】
【００２０】
１    基本ベルト
２    電気刺激板
２１  刺激板カバー
３    マッサージベルト（上）
３１  突起部
４    マッサージベルト（下）
５    ローラー
６    支柱
７    コントロールパネル
７１  スイッチ
７２  電池収納ケース
７３  電気刺激板の電圧調整ボタン  
７４  マッサージベルトの速さ調整ボタン
Ａ    面ファスナーＡ
Ｂ    面ファスナーＢ
【図１】
0003191925.tif 000003
【図２】
0003191925.tif 000004
【図３】
0003191925.tif 000005
【図４】
0003191925.tif 000006